(57)【要約】【課題】釣糸等の糸状体を付けた遊技球を不正に操作して遊技球の入賞を検出させる不正入賞行為を効果的に抑止することが可能な構成の弾球遊技機を提供する。【解決手段】弾球遊技機は、発射機構７０の作動に連動して遊技球の通過を許容する開放位置と遊技球の通過を阻止する閉止位置との間で揺動変位して発射レール８２の球通路８６を開閉する開閉弁部材１２０と、発射レール８２の球通路８６において開閉弁部材１２０の開放位置の近傍に開口形成された連絡口８７を介して球通路８６に繋がる遊技球回収樋１３０とを備え、開閉弁部材１２０は、発射機構７０により発射された遊技球のうちで遊技領域に到達せずに発射レール８２を戻ってきた遊技球を、発射機構７０の作動に連動して閉止位置から開放位置に揺動するときに、球通路８６から連絡口８７へ誘導して遊技球回収樋１３０に排出するように構成される。【選択図】図７
2012055526.tif 000002
【特許請求の範囲】
【請求項１】
前面側に所定の遊技領域が設けられた遊技盤と、前記遊技盤を収容保持する枠部材と、前記枠部材における前記遊技盤の下側に設けられ、前記遊技領域に向けて遊技球を打ち出す発射機構と、前記枠部材における前記遊技盤の下側に斜め上方に延びるように設けられ、前記発射機構によって打ち出された遊技球を前記遊技盤に向けて案内する発射レールと、前記遊技盤の前面側に設けられ前記発射レールの発射口から飛び出した遊技球を前記遊技領域に導く飛送レールとを備える弾球遊技機において、
前記発射機構の作動に連動して遊技球の通過を許容する開放位置と遊技球の通過を阻止する閉止位置との間で揺動変位して前記発射レールの球通路を開閉する開閉弁部材と、
前記発射レールの球通路において前記開閉弁部材の開放位置の近傍に開口形成された連絡口を介して前記球通路に繋がる遊技球回収部とを備え、
前記開閉弁部材は、前記発射機構により発射された遊技球のうちで前記遊技領域に到達せずに前記発射レールを戻ってきた遊技球を、前記発射機構の作動に連動して前記閉止位置から前記開放位置に揺動するときに、前記球通路から前記連絡口へ誘導して前記遊技球回収部に導くことを特徴とする弾球遊技機。
【請求項２】
前記発射レールが、前記球通路の内方へ向かって突出する突起を備え、前記開閉弁部材が前記閉止位置に揺動変位して前記球通路を閉止したときに、前記開閉弁部材と前記突起とが近接することを特徴とする請求項１に記載の弾球遊技機。
【請求項３】
前記発射機構が、前記枠部材に取り付けられるベース部材と、前記ベース部材に遊技球を打撃する打撃位置と当該打撃位置から退避した待機位置との間で揺動可能に取り付けられ、当該揺動により遊技球を前記打撃位置で打撃して前記遊技領域に向けて発射するハンマー部材と、前記ベース部材に取り付けられて前記ハンマー部材を揺動作動させるハンマー作動手段とを有し、
前記ハンマー部材と前記開閉弁部材とを連繋して、前記ハンマー部材の揺動を前記開閉弁部材に伝達し、前記開閉弁部材を前記ハンマー部材に連動して揺動変位させるアーム部材を更に備え、
前記開閉弁部材は、前記ハンマー部材が前記ハンマー作動手段によって前記待機位置と前記打撃位置との間で揺動変位するときに、前記アーム部材を介して前記ハンマー部材に連動して前記閉止位置と前記開放位置との間で揺動変位することを特徴とする請求項１または２に記載の弾球遊技機。
【発明の詳細な説明】
【技術分野】
【０００１】
本発明は、パチンコ機等の弾球遊技機に関し、更に詳細には、入賞口に入球した遊技球を不正に操作して連続的に遊技球の入賞を検出させる不正行為を防止するように構成した弾球遊技機に関する。
【背景技術】
【０００２】
弾球遊技機の代表例であるパチンコ機には、前面に遊技領域を形成する遊技盤を立設姿勢で収容保持した前枠に、前面に遊技球の処理経路を一体に設けるとともに、背面に各種制御基板が取り付けられる裏セット盤を取り付けて構成され、発射装置により遊技領域上部に導いた遊技球を落下させる過程で遊技領域内に設けた各種の入賞装置に入賞させる遊技を行うように構成されている。
【０００３】
このようなパチンコ機では、遊技球が一般入賞装置に入球した場合にはそれに対応した個数の賞球が払い出され、始動入賞装置に入球した場合にはこれに基づいて当り外れや演出パターンの抽選が行われるとともに所定個数の賞球が払い出されるようになっている。この抽選に当選して大当たりが発生したときには、遊技者に有利な特別遊技状態に移行して、一般にアタッカーと称される大入賞装置の入賞口が複数回連続的に開放し、入球個数に対応した相当数の賞球が払い出されることとなる（例えば、特許文献１を参照）。
【先行技術文献】
【特許文献】
【０００４】
【特許文献１】特開２００９−２６８５６６号公報
【発明の概要】
【発明が解決しようとする課題】
【０００５】
パチンコ機には、各種入賞装置に対応して通過型センサ等からなる入賞球検出器が設けられており、この入賞装置に入球する遊技球が入賞球検出器を通過することによって該入賞装置での遊技球の入賞が検出され、入球個数に応じた賞球の払い出しや当り外れの抽選等が適時実行されるようになっている。ここで、正常な遊技では原則として遊技球１球につき１回のみ入賞球検出器への通過が検出されるものであるが、近年においては、所定長さの釣糸等の糸状体を付けた遊技球を入賞装置に入球させて、該糸状体を手前に引っ張ったり奥側へ送り込んだりする不正な操作をすることで、この遊技球を入賞球検出器に何度も繰り返し通過させて（遊技球の連続入賞を検出させて）、多数の賞球を払い出させる不正入賞行為（ゴト行為）が頻発しており、その被害が大きな社会問題になってきている。そのため、遊技機メーカ各社においても、このような不正入賞行為を効果的に抑止する策を講じることが課題となっている。
【０００６】
本発明は、このような課題に鑑みてなされたものであり、釣糸等の糸状体を付けた遊技球を不正に操作して遊技球の入賞を検出させる不正入賞行為を効果的に抑止することが可能な構成の弾球遊技機を提供することを目的とする。
【課題を解決するための手段】
【０００７】
このような目的達成のために、本発明に係る弾球遊技機は、前面側に所定の遊技領域が設けられた遊技盤と、遊技盤を収容保持する枠部材（例えば、実施形態における前枠２）と、枠部材における遊技盤の下側に設けられ、遊技領域に向けて遊技球を打ち出す発射機構と、枠部材における遊技盤の下側に斜め上方に延びるように設けられ、発射機構によって打ち出された遊技球を遊技盤に向けて案内する発射レールと、遊技盤の前面側に設けられ発射レールの発射口から飛び出した遊技球を遊技領域に導く飛送レールとを備える弾球遊技機において、発射機構の作動に連動して遊技球の通過を許容する開放位置と遊技球の通過を阻止する閉止位置との間で揺動変位して発射レールの球通路を開閉する開閉弁部材と、発射レールの球通路において開閉弁部材の開放位置の近傍に開口形成された連絡口を介して球通路に繋がる遊技球回収部（例えば、実施形態における遊技球回収樋１３０）とを備え、開閉弁部材は、発射機構により発射された遊技球のうちで遊技領域に到達せずに発射レールを戻ってきた遊技球を、発射機構の作動に連動して閉止位置から開放位置に揺動するときに、球通路から連絡口へ誘導して遊技球回収部に導くように構成される。
【０００８】
なお、上述の発明において、発射レールが球通路の内方へ向かって突出する突起を備え、開閉弁部材が閉止位置に揺動変位して球通路を閉止したときに、開閉弁部材と突起とが近接することが好ましい。
【０００９】
また、上述の発明において、発射機構が、枠部材に取り付けられるベース部材（例えば、実施形態におけるベースプレート７１）と、このベース部材に遊技球を打撃する打撃位置と当該打撃位置から退避した待機位置との間で揺動可能に取り付けられ、当該揺動により遊技球を打撃位置で打撃して遊技領域に向けて発射するハンマー部材（例えば、実施形態におけるハンマー７２）と、ベース部材に取り付けられてハンマー部材を揺動作動させるハンマー作動手段（例えば、実施形態におけるロータリソレノイド７３）とを有し、ハンマー部材と開閉弁部材とを連繋して、ハンマー部材の揺動を開閉弁部材に伝達し、開閉弁部材をハンマー部材に連動して揺動変位させるアーム部材を更に備え、開閉弁部材は、ハンマー部材がハンマー作動手段によって待機位置と打撃位置との間で揺動変位するときに、アーム部材を介してハンマー部材に連動して閉止位置と開放位置との間で揺動変位することが好ましい。
【発明の効果】
【００１０】
本発明に係る弾球遊技機は、開閉弁部材が発射機構の作動に連動して遊技球の通過を許容する開放位置と遊技球の通過を阻止する閉止位置との間で揺動変位して発射レールの球通路を開閉することで、球通路を閉止したときに当該球通路内での遊技球の通過と共に異物の通過をも阻止し、発射機構により発射された遊技球のうちで遊技領域に到達せずに発射レールを戻ってきた遊技球を、発射機構の作動に連動して閉止位置から開放位置に揺動するときに発射レールの途中で連絡口を介して遊技球回収部に導くように構成されている。そのため、釣糸等の糸状体が取り付けられた遊技球が発射機構によって打ち出された場合、開閉弁部材が発射機構に連動して発射レールの球通路を閉止したときに発射レール内を球通路に沿って進入する糸状体（異物）を引掛けて若しくは球通路の内壁との間に挟み込んで当該遊技球の飛翔を制止できるため、当該遊技球を遊技領域まで到達できないようにしている。従って、糸状体の付いた遊技球を不正に操作して入賞球検出器に連続的な入賞を検出させる不正入賞行為を効果的に抑止して損害の発生を未然に防止することが可能である。
【００１１】
また、発射機構により打ち出された遊技球のうちで遊技領域内に到達せずに発射レールを戻ってくる所謂ファール球が生じた場合、開閉弁部材が発射レールの球通路を閉止したときにこの開閉弁部材によってファール球が発射機構側に戻るのが防止されるとともに、開閉弁部材が発射レールの球通路を開放するときにファール球が発射レールの途中で開閉弁部材の揺動によって連絡口を通って遊技球回収部に速やかに導かれる。そのため、発射レールの球通路上でファール球と後続の遊技球とが衝突するのを防止できるとともに、発射レールの球通路の下端までファール球が戻ってくることが極めて少ないため、いわゆる垂直発射と称されるような発射機構を用いて、遊技球を発射通路内に直接発射する構成を問題なく採用することが可能である。
【００１２】
さらに、発射レールの途中で開閉弁部材によって球通路が閉鎖されることで、遊技盤の盤面や発射通路から落下するゴミ等の異物はこの開閉弁部材によって当該球通路内での通過が阻止されて、開閉弁部材の揺動運動に伴って遊技球回収部に排出されるようになっている。そのため、発射レールの下方に位置する発射機構に異物が多量に滞留するおそれもなく、発射機構の機構部品が異物を噛み込んでその作動不良により遊技球の発射不良が発生するのを防止できるとともに、異物を除去等するための清掃・点検時間が大幅に低減されてメンテナンス性を向上させることが可能になる。
【００１３】
また、上述の発明において、開閉弁部材が閉止位置に揺動変位して球通路を閉止したときに、開閉弁部材と発射レールの球通路の内方へ向かって突出する突起とが近接するように構成されることで、釣糸等の糸状体の取り付けられた遊技球が発射機構によって打ち出された場合、発射レール内で球通路に沿って進入する糸状体を開閉弁部材と突起との間で挟み込んで当該遊技球の飛翔を確実に制止することができるため、不正入賞行為をより厳重に防止することが可能である。
【００１４】
また、上述の発明において、ハンマー部材がハンマー作動手段によって待機位置と打撃位置との間で揺動変位するときに、開閉弁部材がアーム部材を介してハンマー部材に連動して閉止位置と開放位置との間で揺動変位する構成とすることで、ハンマー作動手段以外の他の駆動源を用いずに開閉弁部材をハンマー部材に連動させて閉止位置と開放位置との間で揺動変位させることができるため、機構構成を簡明化するとともに小型化及び低廉化することが可能である。さらに、互いに連動作動するハンマー部材の待機位置及び打撃位置と開閉弁部材の閉止位置及び開放位置とを対応付けることで、ハンマー部材によって打撃位置で発射された遊技球を開閉弁部材によって開放された発射レールの球通路を確実に通過させることができるとともに、当該発射後にハンマー部材が待機位置に復帰した際に発射レールを戻ってくる遊技球（例えばファール球）があった場合でも閉止位置にある開閉弁部材によって球通路を閉鎖して、この遊技球が発射機構まで到達して後続の遊技球に衝突するのを防止できる。
【図面の簡単な説明】
【００１５】
【図１】本発明に係る弾球遊技機の一例として示すパチンコ機の正面図である。
【図２】上記パチンコ機の背面図である。
【図３】遊技盤を取り付けた状態で示す前枠の正面図である。
【図４】球皿ユニットの背面図である。
【図５】上記パチンコ機に備えられた遊技盤の正面図である。
【図６】上記パチンコ機における主制御装置および払出制御装置の制御形態を主として示すブロック図である。
【図７】遊技球発射装置及び遊技球回収機構においてハンマーが発射待機位置にある状態を示す正面図である。
【図８】遊技球発射装置及び遊技球回収機構においてハンマーが発射完了位置にある状態を示す正面図である。
【図９】図７における矢印IX−IXに沿って示す要部断面図である。
【図１０】図８における矢印X−Xに沿って示す要部断面図である。
【図１１】図７の状態において遊技球発射装置及び遊技球回収機構を背面から見た図である。
【図１２】図８の状態において遊技球発射装置及び遊技球回収機構を背面から見た図である。
【図１３】ファール球の流れを主として示す発射レール部等の正面図である。
【図１４】糸付球の流れを主として示す発射レール部等の正面図である。
【図１５】遊技盤の変形例を示す正面図である。
【発明を実施するための形態】
【００１６】
以下、本発明の好ましい実施形態について図面を参照して説明する。まず、本発明に係る弾球遊技機を適用したパチンコ機ＰＭの概要構成を図１〜図５の各図を参照しながら要約説明する。ここで、図１はパチンコ機ＰＭの正面図、図２はパチンコ機ＰＭの背面図、図３は遊技盤１０を取り付けた状態の前枠２の正面図、図４は球皿ユニット６の背面図、図５は遊技盤１０の正面図である。
【００１７】
パチンコ機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００１８】
前枠２の前面側には、前枠２の上部前面域に合わせた方形状のガラス扉５および球皿ユニット６が正面左側部に設けられたヒンジ機構７ａ，７ｂ，７ｃを利用して横開き開閉および着脱可能に組み付けられ、施錠装置４を利用して常には前枠２の前面を覆う閉鎖状態に保持される。球皿ユニット６の正面右側下部には遊技球の発射操作を行う操作ハンドル６０が設けられている。ガラス扉５の背後に位置する前枠２の上部には、遊技盤１０を着脱可能に収容する方形枠状の収容枠（図示しない）が設けられており、この収容枠に所定のゲージ設定で構成された遊技盤１０が着脱可能にセット保持され、常には閉鎖保持されるガラス扉５を通して遊技盤１０の正面の遊技領域ＰＡを臨ませるようになっている。
【００１９】
遊技盤１０は、ルータ加工等を施した矩形状の積層合板に、所定の図柄が印刷されたセルを貼り付けて成型される化粧板１１を基板として構成される。化粧板１１の前面には、飛送レール１２ａ及び内レール１２ｂが円弧状に固設されて遊技球が転動可能な略円形の遊技領域ＰＡが区画形成されている。飛送レール１２ａ及び内レール１２ｂにより遊技球を遊技領域ＰＡに誘導する発射通路１２が形成され、この発射通路１２における遊技球の出口開口１２ｃの近傍位置（内レール１２ｂの先端部）に、発射通路１２を通って出口開口１２ｃから遊技領域ＰＡ内に放出された遊技球が再び発射通路１２に逆戻りするのを防止する球戻り防止装置１３が設けられている。
【００２０】
遊技盤１０の遊技領域ＰＡには、多数本の遊技釘とともに風車や各種の入賞装置１４，１５，１６，１７、遊技の進行状況に応じて各種の演出パターンの画像および図柄を表示する図柄表示装置１８などの遊技構成部品が取り付けられている。また、遊技領域ＰＡの下端には、各入賞装置に入賞せずに落下した遊技球を遊技盤１０の裏面側へ排出させるアウト口１９が設けられている。
【００２１】
前枠２の前面下部には球皿ユニット６の背後に位置して遊技盤１０と上下に整合し得る遊技補助盤２０が形成されており、この遊技補助盤２０の各部に、遊技盤１０へ向けて遊技球を発射する発射機構７０、前枠２の前後に連通して形成された賞球連絡通路２２および溢れ球通路２３、詳細は後述する遊技球回収機構１００などが設けられている。発射機構７０の前方には、この発射機構７０の前面側を覆うカバー部材２４が着脱自在に取り付けられている。このカバー部材２４は、例えばＡＢＳ樹脂などの樹脂材料を用いて射出成形等の成形手段で形成されている。また、常には遊技補助盤２０を覆って閉鎖状態に保持される球皿ユニット６の背面側には、遊技補助盤２０に設けられた各機器に対応した機構装置が装備されている。すなわち、発射機構部７０に対応して上球皿６ａに貯留された遊技球を１球ずつ発射機構７０に送り出す球送りカセット２６が設けられ、賞球連絡通路２２に位置整合して賞球連絡通路２２から流下する遊技球を上球皿６ａに導く上球皿連絡ダクト２７が設けられ、溢れ球通路２３に位置整合して溢れ球通路２３から流下する遊技球を下球皿６ｂに導く下球皿連絡ダクト２８が設けられている。
【００２２】
前枠２の裏面側には、図２に示すように、外枠１の内寸サイズよりも幾分小さめの矩形枠状に形成された裏セット盤３０が着脱可能に取り付けられている。裏セット盤３０は、遊技盤１０の背後に位置する上部領域に、前後連通して開口する大型の窓口開口３０ａを有する枠状に形成されており、この窓口開口３０ａの上方に、遊技球を貯留する球貯留タンク３１、及び球貯留タンク３１と繋がってゆるく傾斜するタンクレール３２が設けられ、背面視における窓口開口３０ａの右側に、タンクレール３２により前後各１列の整列状態で導かれた遊技球を遊技盤１０における入賞状態に基づいて払い出す球払出装置３３、球払出装置３３から払い出された遊技球を球皿ユニット６の上球皿６ａに導く球払出通路３４などの賞球機構が設けられている。
【００２３】
このため、球払出装置３３によって払い出され球払出通路３４から賞球連絡通路２２の後端部に流入した遊技球は、通常では、この賞球連絡通路２２を前方に流下し、上球皿連絡ダクト２７内の通路を通って上球皿６ａに達する。一方で、上球皿６ａが遊技球で満たされたときには、球払出装置３３によって払い出された遊技球は、賞球連絡通路２２から溢れ球誘導口（図示せず）を通過して溢れ球通路２３を流下し、下球皿連絡ダクト２８内の通路を通って下球皿６ｂに達する。
【００２４】
また、裏セット盤３０の背面には、制御装置、電子部品に電力を供給する電源ユニット４１、パチンコ機ＰＭの作動を統括的に制御する主制御装置４２、画像表示、効果照明、効果音等の遊技演出の制御を主に行うサブ制御装置４３、球払出装置３３の作動を制御するとともに遊技球発射装置５０の作動を制御する払出制御装置４４等の各種基板や電子部品などが取り付けられ、これらが図示省略するコネクタケーブルで接続されてパチンコ機ＰＭが作動可能に構成される。
【００２５】
さて、このように概要構成されるパチンコ機ＰＭにあって、遊技領域ＰＡに発射された遊技球が各入賞装置に落入したときの遊技球の払い出し処理について、関連する各部の構成をもう少し詳しく説明する。遊技盤１０に設けられる入賞装置には、その外観意匠や入賞時の動作を含めて種々の形態のものがあり、ゲージ設定に応じてどのような形態の入賞装置を用いるものであってもよいが、例えば図５に例示した遊技盤１０では、一般入賞装置１４、始動入賞装置１５、大入賞装置１６，１７の３種類の入賞装置を設けた例を示している。
【００２６】
一般入賞装置１４は、遊技球が落入可能な入賞口１４ａを有する固定入賞具であり、この入賞口１４ａに落入したセーフ球はセーフ球通路を通って化粧板１１の裏面側に排出され、該裏面側に設けられた入賞球検出器１４ｓ（図６を参照）を通過することによって入賞が検出されるようになっている。入賞球検出器１４ｓは、遊技球の通過を検出可能な通過型センサである限り特に限定されず、例えば、磁気センサや光センサ、近接スイッチ等の非接触動作型でも、マイクロスイッチのような接触動作型でもよい（以下に示す入賞球検出器１５ｓ，１６ｓ，１７ｓにおいても同様とする）。
【００２７】
始動入賞装置１５は、図柄の変動開始の条件を定める入賞具であり、この入賞口１５ａに落入したセーフ球はセーフ球通路を通って化粧板１１の裏面側に排出され、該裏面側に設けられた入賞球検出器１５ｓ（図６を参照）を通過することによって入賞が検出されるようになっている。
【００２８】
大入賞装置１６，１７は、いわゆるアタッカー型の可動入賞装置であり、横長方形状の大入賞口１６ａ，１７ａを覆う開閉扉が開閉可能に取り付けられている。開閉扉は通常閉止されており、遊技中における所定の入賞条件の下で特別遊技状態が成立したときに、開閉扉の上部が前方にほぼ９０度倒されて大入賞口１６ａ，１７ａが開放される。大入賞口１６ａ，１７ａに落入したセーフ球はセーフ球通路を通って化粧板１１の裏面側に排出され、該裏面側に領域開口に対応して設けられた入賞球検出器１６ｓ，１７ｓ（図６を参照）を通過することによって入賞が検出されるようになっている。なお、入賞球検出器１４ｓ，１５ｓ，１６ｓ，１７ｓにより検出された遊技球は、遊技済み球排出通路を流下して遊技島の回収装置に排出される。
【００２９】
以上のように構成されるパチンコ機ＰＭは、外枠１が遊技施設の遊技島（設置枠台）に固定設置され、前枠２、ガラス扉５、球皿ユニット６等が閉鎖施錠された状態で遊技に供され、球皿ユニット６の上球皿６ａに遊技球を貯留させて発射ハンドル６０を回動操作することにより遊技が開始される。発射ハンドル６０が回動操作されると、上球皿６ａに貯留された遊技球が、球皿ユニット６の裏面側に配設される球送りカセット２６によって１球ずつガイドホルダに送り出され、発射機構７０のハンマーにより遊技領域ＰＡに打ち出されてパチンコゲームが展開される。
【００３０】
ここで、図６に主制御装置４２および払出制御装置４４の制御形態を主として示すブロック図を示している。この図６に示すように、入賞球検出器１４ｓ，１５ｓ，１６ｓ，１７ｓの検出信号は主制御装置４２に出力されており、主制御装置４２は入力された検出信号に基づいてパチンコ機ＰＭの作動を統括的に制御する。例えば、遊技領域ＰＡを転がり落ちる遊技球が一般入賞装置１４に落入すると、入球した遊技球が入賞球検出器１４ｓを通過する際に入賞が検出され、その検出信号が主制御装置４２に入力される。主制御装置４２は、この検出信号から、遊技球が入賞装置に落入したこと、および入賞した入賞装置が一般入賞装置１４であることを検知し、払出制御装置４４に対して入賞条件に応じた球払出指令コマンドを出力して球払出装置３３を作動させ、一般入賞装置１４に入賞した場合の褒章として予め設定された所定個数の賞球を上球皿６ａに払い出させる。
【００３１】
また、始動入賞装置１５に遊技球が落入して入賞球検出器１５ｓから検出信号が出力されると、主制御装置４２はこの検出信号から、遊技球が落入したこと、および入賞した入賞装置が始動入賞装置１５であることを検知し、この入賞条件に応じた遊技プログラムを呼び出して実行する。具体的には、主制御装置４２内で図柄の組み合わせ抽選を行うとともに、サブ制御装置４３に抽選結果を出力して図柄表示装置１８に表示させる図柄を変動および停止制御させ、停止図柄の組み合わせに応じた作動、例えばサイドランプの点滅表示やスピーカによる効果音の発生等を行わせる。また、主制御装置４２は、払出制御装置４４に対して入賞条件に応じた球払出指令コマンドを出力して球払出装置３３を作動させ、始動入賞装置１５に入賞した場合の褒章として予め設定された所定個数の賞球を上球皿６ａに払い出させる。
【００３２】
主制御装置４２による抽選結果が大当たりである場合（変動停止時の図柄が大当たりの図柄で停止する場合）、図柄表示装置１８には、例えば、スロットマシンの図柄表示を模した装飾図柄を一致させるような表示態様を有して表示され、特別遊技が実行される。特別遊技においては、大入賞装置１６，１７の作動により大入賞口１６ａ，１７ａが開放される。そして、例えば、大入賞口１６ａ，１７ａが約３０秒間開放された後、または９球以上の遊技球が大入賞装置１６，１７に入賞した後、大入賞口１６ａ，１７ａが一旦閉鎖され、このような開閉動作が所定回数（例えば１５回）継続して繰り返される。大入賞装置１６，１７に遊技球が落入する度に、予め設定された所定個数の遊技球が賞球として球払出装置３３より払い出される。
【００３３】
さて、このように概要構成されるパチンコ機ＰＭにおいて、正常な遊技では原則として遊技球１球につき１回のみ入賞球検出器への通過が検出されるものであるが、近年においては、入賞装置に落入した１個の遊技球を不正な操作によって入賞球検出器の導入口に連続して通過させて、多数の賞球を払い出させる不正入賞行為（ゴト行為）が頻発している。
【００３４】
この代表的な手口を概要説明すると、まず、所定長さを有する釣糸等の糸状体の一端側を遊技球に固着させ、この糸状体の他端側を不正行為者自身が掌で掴み、このような細工を施した遊技球（以下において「糸付球」と称する）を上球皿６ａに貯留された他の遊技球の間に忍ばせて、他の遊技球とともに上球皿６ａから１球ずつ順番に発射機構７０へ供給させて発射機構７０により発射通路１２を通して遊技領域ＰＡ内へ送り込む。糸付球が遊技領域ＰＡまで達すると、ガラス扉５の外側から強力な磁石を用いてこの遊技球を入賞装置（１回の賞球数が最も多い一般入賞装置１４が狙われ易い傾向にある）まで誘導して当該入賞装置の入賞口へ落入させる。遊技球が入賞口からセーフ球通路に導かれて入賞球検出器の導入口を通過すると、主制御装置４２により遊技球の入賞が検出されて球払出装置３３により入賞条件に応じた個数の賞球が上球皿６ａへ払い出されることになる。不正行為者は、このように賞球が払い出されたことをもって、糸付球がターゲットである入賞球検出器へ到達したことを認識し、自身の掌に掴んでいる糸状体の他端側を手前に引っ張ったり奥側へ送り込んだりする操作をして、糸付球を入賞球検出器の導入口に何度も繰り返し通過させることで、遊技球の連続入賞を不正に検出させて多数の賞球を獲得している。これが、最近になって頻発している糸付球を用いた不正入賞行為の全貌である。
【００３５】
そこで、このような不正入賞行為を防止すべく、上記のように概要構成されるパチンコ機ＰＭにあって、遊技補助盤２０に設けられた遊技球発射装置５０及び遊技球回収機構１００を主体として、不正防止構造が構成されている。以下、図７〜図１２の各図を追加参照しながら、遊技球発射装置５０及び遊技球回収機構１００について説明する。ここで、図７は遊技球発射装置５０及び遊技球回収機構１００においてハンマーが発射待機位置にある状態の正面図、図８は遊技球発射装置５０及び遊技球回収機構１００においてハンマーが発射完了位置にある状態の正面図、図９は図７における矢印IX−IXに沿って示す要部断面図、図１０は図８における矢印X−Xに沿って示す要部断面図、図１１は図７の状態において遊技球発射装置５０及び遊技球回収機構１００を背面から見た図、図１２は図８の状態において遊技球発射装置５０及び遊技球回収機構１００を背面から見た図である。
【００３６】
遊技球発射装置５０は、その構成を大別すると、遊技球の発射操作を行う発射ハンドル６０、遊技球を発射する発射機構７０、発射された遊技球を発射通路１２に案内する発射レール部８０、及び発射機構７０の作動を制御する払出制御装置４４などから構成される。
【００３７】
発射ハンドル６０は、パチンコ機ＰＭの機体から前方に突出するハンドルベース６１（図４を参照）と、このハンドルベース６１の前方に回動操作可能に設けられた回動レバー６２（図１を参照）と、ハンドルベース６１内に設けられ回動レバー６２の回動操作量を検出するポテンショメータ等の角度検出器６３（図６を参照）と、遊技者が発射ハンドル６０（回動レバー６２）に接触しているか否かを検出するタッチ検出器６４（図６を参照）などを備えて構成されている。なお、角度検出器６３及びタッチ検出器６４の検出信号は払出制御装置４４に入力されており、払出制御装置４４はタッチ検出器６４からの検出信号から遊技者が発射ハンドル６０に触れているか否かを判定し、角度検出器６３からの検出信号から回動レバー６２の回動操作量を検知して、これらの検出信号に基づいて発射機構７０の作動を制御する。
【００３８】
発射機構７０は、遊技補助盤２０の前面側に設けられ発射機構７０の取り付けベースとなる平板状のベースプレート７１と、このベースプレート７１の前面側に位置して遊技盤１０の盤面とほぼ平行な面内で揺動可能なように設けられたハンマー７２と、このハンマー７２を揺動作動させるロータリソレノイド７３（図６を参照）とを備えて構成される。
【００３９】
ベースプレート７１は、例えば薄板状の鋼板を切断及び孔あけ加工し所要の表面処理を施して形成される。ロータリソレノイド７３は、複数のビス７４を用いてビス止めされることでベースプレート７１の背面側に取り付けられ、本体部分がベースプレート７１の背面側に突出している。ロータリソレノイド７３の駆動軸７３ａは、ベースプレート７１に形成された駆動軸挿通孔（図示せず）を通過してベースプレート７１の前面側に達するように構成されており、この駆動軸７３ａをハンマー７２の取り付け孔（図示せず）に挿通させて、駆動軸７３ａ先端のネジ部を固定ナット７５で螺着させることで、この駆動軸７３ａにハンマー７２が一体的に連結されるようになっている。このようにして、ハンマー７２はベースプレート７１の前面側に取り付けられ、払出制御装置４４からの指令に基づいてロータリソレノイド７３が作動することにより、ベースプレート７１の前面側で駆動軸７３ａを中心として上下に揺動するようになっている。
【００４０】
ハンマー７２は、「く」字状に屈曲して細長く延びるハンマーアーム部７２ａと、その上方に舌片状に突出する緩衝アーム部７２ｂと、両アーム部が交わる位置に形成されロータリソレノイド７３の駆動軸７３ａに固定される本体部７２ｃとを備えて構成されており、ハンマーアーム部７２ａの先端には遊技球を叩打する樹脂製のハンマーヘッド７２ｄが嵌着されている。
【００４１】
また、ベースプレート７１の前面には、ハンマーヘッド７２ｄの打撃位置から下方に退避させた揺動位置でハンマーアーム部７２ａを弾性的に受け止める下部ストッパ７６や、打撃位置をわずかに超えた揺動位置で緩衝アーム部７２ｂを弾性的に受け止める上部ストッパ７７などが取り付けられている。そのため、ハンマー７２は、ロータリソレノイド７３の駆動軸７３ａを中心として、ハンマーアーム部７２ａが下部ストッパ７６に当接して揺動規制された下方限界位置（これを「発射待機位置」と称する）と、緩衝アーム部７２ｂが上部ストッパ７７に当接して揺動規制された上方限界位置（これを「発射完了位置」と称する）との間で揺動変位可能である。
【００４２】
発射レール部８０は、ベースプレート７１の前面側に設けられて球送りカセット２６から供給された遊技球Ｂ（図７及び図８等を参照）をハンマーヘッド７２ｄの打撃位置に合わせて一時保持するガイドホルダ８１と、このガイドホルダ８１から斜め上方に延びる平断面視凹状の発射レール８２とを備えて構成される。
【００４３】
発射レール８２は、左斜め上方に延びる中央通路壁８３と、この中央壁を挟んで左側及び右側に遊技球の直径よりも幾分大き目の間隔をおいて略平行に立設された左側通路壁８４及び右側通路壁８５とを有し、これらの通路壁８３，８４，８５に囲まれてハンマー７２により打ち出された遊技球が通過可能な球通路８６が画形されている。この発射レール８２は、ガイドホルダ８１の上端位置から飛送レール１２ａと内レール１２ｂとの間の発射通路１２に向けて（すなわち飛送レール１２ａの下端近傍のレール面よりも上方に向けて）左斜め上方に延びて設けられる。発射レール８２の上端の発射口８２ａ（図３を参照）は、収容枠の支持面よりも上方に延びて遊技盤１０前面のアウト口１９のほぼ左側方にあたる高さ位置で開口している。
【００４４】
また、発射レール８２における発射口８２ａの左側には、上方に開口するファール球回収口９１が形成されたファール球回収樋９０が設けられており、遊技領域ＰＡに到達できずに発射通路１２を戻ってくる遊技球（すなわちファール球）がファール球回収口９１に落入するようになっている。このファール球回収樋９０の内部に形成されたファール球回収通路９２は、下球皿６ｂに繋がる溢れ球通路２３と連通しており、ファール球回収口９１に落入したファール球はファール球回収通路９２を流下して溢れ球通路２３に導かれ、下球皿連絡ダクト２８を経て下球皿６ｂに至るようになっている。
【００４５】
一方、遊技球回収機構１００は、ベースプレート７１の背面側に設けられ発射機構７０のハンマー７２と連結されるアーム部材１１０と、このアーム部材１１０を介してハンマー７２の揺動が伝達されることで発射レール８２の球通路８６を開閉する開閉弁部材１２０と、発射レール８２の左側通路壁８４に隣接して設けられ発射レール８２の球通路８６と連通する遊技球回収樋１３０とを主体に構成される。
【００４６】
アーム部材１１０は、細長い棒状のアーム本体１１１と、このアーム本体１１１の下端部から屈曲して略水平に延びる基端部１１２と、アーム本体１１１の上端部に形成された略円弧状のロッド支持部１１３とを備えて構成されており、ハンマー７２と開閉弁部材１２０との間を連繋して揺動可能に設けられ、ハンマー７２の揺動による押圧力を開閉弁部材１２０に伝達するようになっている。なお、上記ベースプレート７１には緩衝アーム部７２ｂの揺動軌跡及び揺動角度範囲に合わせた円弧状のガイド溝７１ａが形成され、緩衝アーム７２ｂから後方に突設される円筒状のガイドピン１１９がこのガイド溝７１ａ内に係合されてベースプレート７１の背面側に達するように構成されており、このガイドピン１１９をアーム部材１１０の基端部１１２から下方に向けて平行に突設された左右一対の突出部１１４，１１４の間隙に圧入固定することで、ハンマー７２とアーム部材１１０とがベースプレート７１を間に挟んで連結されている。このようにアーム部材１１０はハンマー７２に連結されることで、ハンマー７２と一体となって上下に揺動するようになっている。
【００４７】
開閉弁部材１２０は、発射レール８２の左側通路壁８４が一部切り欠かれて左右方向に開口形成された連絡口８７内において遊技球回収樋１３０側（左側方）に偏倚して設けられている。この開閉弁部材１２０は、遊技補助盤２０の孔部２１に挿入される円筒状の支軸部１２１と、この支軸部１２１の前端側に設けられ径方向外方へ延びる帯板状の弁体１２２と、支軸部１２１の後端側に設けられ径方向外方へ延びる正面視において舌片状の揺動片１２３とを備えて構成され、前後に貫通するピン挿通孔１２８に枢結ピン１２９が挿入されることにより、遊技補助盤２０の背面側に設けられた台板２９に垂直面内で揺動自在に枢支されている。
【００４８】
弁体１２２は、発射レール８２における球通路８６の開口面域に合わせた矩形平板状に形成されている。揺動片１２３には後方に突出する軸状のロッド１２４が設けられており、このロッド１２４に対応してアーム部材１１０のロッド支持部１１３の上面側には、このロッド１２４の揺動範囲よりも幾分広い範囲に亘って上方に開く略円弧状の湾曲支持面１１３ａが形成されている。開閉弁部材１２０には、弁体１２２及び揺動片１２３などの自重によって枢結ピン１２９を中心として正面視において反時計回りのモーメントが作用しており、開閉弁部材１２０はこのモーメントによって反時計回り方向への付勢力を受けることで、この開閉弁部材１２０における揺動片１２３のロッド１２３ａがロッド支持部１１３の湾曲支持面１１３ａに常時当接することとなる。そのため、ハンマー７２の揺動作動によってアーム部材１１０が上下に揺動したときに、このアーム部材１１０の揺動に応じてロッド１２４がロッド支持部１１３の湾曲支持面１１３ａに押動されながらこの湾曲支持面１１３ａに沿って移動し、この動きに連動して開閉弁部材１２０が枢結ピン１２９を中心として時計回りもしくは反時計回り方向に揺動するようになっている。
【００４９】
従って、開閉弁部材１２０は、ハンマー７２が発射待機位置から発射完了位置へ向かって上方に揺動した場合には、このハンマー７２に連結されたアーム部材１１０のロッド支持部１１２によってロッド１２４が上方に押動され、このロッド１２４に一体に繋がる弁体１２２が正面視において反時計回り方向に揺動するようになっており、ハンマー７２が発射完了位置に達したときに弁体１２２が略鉛直方向に延びた姿勢となり発射レール８２の球通路８６を開放する。一方、ハンマー７２が発射完了位置から発射待機位置へ向かって下方に揺動した場合には、このハンマー７２に連結されたアーム部材１１０が下方に揺動するとともに、開閉弁部材１２０は自重により生じるモーメントによって正面視において時計回り方向に揺動するようになっており、ハンマー７２が発射待機位置に達したときに弁体１２２が発射レール８２と略直交する方向に延びた姿勢となり発射レール８２の球通路８６を閉止する。
【００５０】
すなわち、開閉弁部材１２０は、弁体１２２が発射レール８２の球通路８６内に挿入されて遊技球の通過を阻止する位置（これを「閉止位置」と称する）と、弁体１２２が発射レール８２の球通路８６外に退避されて遊技球の通過を許容する位置（これを「開放位置」と称する）との間で上下に揺動変位することが可能である。なお、発射レール８２の右側通路壁８５には通路内方に向けて突出する突起８８が形成されており、開閉弁部材１２０が時計回りに揺動して閉止位置に達したときに、弁体１２２の先端部下面が突起８８の上面に当接（もしくは近接）するようになっている。ここで、球通路８６の閉止（閉鎖）とは、遊技球の通過を阻止し得るとともに、糸状体（異物）の通過をも阻止する程度の閉止状態であることが好ましく、上述したように、弁体１２２を球通路８６の開口面域に合わせた外形形状とすることで、球通路８６に糸付球に繋がる糸状体が進入してきたときに、弁体１２２の揺動変位によって球通路８６をほぼ完全に閉止（少なくとも弁体１２２の外周部と球通路８６の内壁との間にほとんど隙間が生じないように）することで、この弁体１２２に糸状体を引掛けることができるとともに、弁体１２２と球通路８６の内壁との間に糸状体を挟み込むことができる。また、弁体１２２と球通路８６との間に僅かな隙間が生じる場合でも、球通路８６の内壁に突起８８を形成しておくことにより、弁体１２２と突起８８とを当接させることで当該隙間を閉鎖して、弁体１２２と突起８８との間でも糸状体を挟み込むことが可能である。
【００５１】
遊技球回収樋１３０は、左側通路壁８４の連絡口８７を介して発射レール８２の球通路８６に連通しており、上方に開口する遊技球回収口１３１が形成されるとともに、その下側に連絡口８７から入球して遊技球回収口１３１に落入した遊技球を流下させる遊技球回収通路１３１が形成されている。遊技球回収通路１３１は、ファール球回収通路９２及び溢れ球通路２２と遊技補助盤２０の背面側で合流し、下球皿連絡ダクト２８を介して下球皿６ｂに繋がっている。なお、この遊技球回収通路１３１とファール球回収通路９２とを直接繋いだり、遊技球回収樋１３０とファール球回収樋９０とを一体的に形成して構成してもよい。
【００５２】
次に、このように構成される遊技球発射装置５０及び遊技球回収機構１００（不正防止構造）の作用について主として図１３及び図１４を参照しながら説明する。ここで、図１３はファール球の流れを主として示す遊技球発射装置５０及び遊技球回収機構１００の正面図であり、図１４は糸付球の流れを主として示す遊技球発射装置５０及び遊技球回収機構１００の正面図である。
【００５３】
まず、遊技者が発射ハンドル６０を操作していない非操作時においては、タッチ検出器６４の出力信号は遊技者の接触が検出されていない非接触状態であり、払出制御装置４４は遊技者が遊技を行っていない待機状態であると判断し発射機構７０の作動をオフする。つまり、払出制御装置４４からの指令によって発射機構７０のロータリソレノイド７３は励磁されていないため、ハンマー７２は発射待機位置で停止している。このとき、開閉弁部材１２０は発射レール８２の球通路８６を閉止している。
【００５４】
一方、遊技者が発射ハンドル６０を把持し回動操作すると、タッチ検出器６４の出力信号は遊技者の接触が検出された接触状態となり、上球皿６ａに貯留された遊技球が球送りカセット２６により１球ずつガイドホルダ８１の打撃位置に留置されるとともに、この球送りカセット２６と同期制御されるロータリソレノイド７３が励磁されて上方へ揺動作動され、発射ハンドル６０の回動操作量（角度検出器６３の検出値）に応じた発射強度で遊技球が遊技領域ＰＡに向けて打ち出される。このときハンマー７２が上方に揺動作動した際に、これに連結されるアーム部材１１０もハンマー７２と一体となって上方に揺動し、開閉弁部材１２０が正面視において反時計回り方向（発射レール８２の球通路８６を開放させる方向）に揺動される。そして、ハンマー７２が発射完了位置に達したときに、開閉弁部材１２０が発射レール８２の球通路８６を開放した開放位置に位置することとなるため、ハンマー７２によって打ち出された遊技球は開閉弁部材１２０の弁体１２２に衝突することもなく発射レール８２の球通路８６を通過することができる。このようにハンマー７２により遊技球が発射された後は、払出制御装置４４からの指令によってロータリソレノイド７３が非励磁となり、ハンマー７２が自重により下方に揺動して発射待機位置に復帰する。よって、開閉弁部材１２０が自重により生じるモーメントによって正面視において時計回り方向に揺動して閉止位置に到達し、開閉弁部材１２０の弁体１２２によって発射レール８２の球通路８６は閉止される。
【００５５】
ここで、発射ハンドル６０の回動操作量に応じて打ち出される遊技球の発射強度が弱い場合には、遊技領域ＰＡに到達できずに発射通路１２を戻ってくるファール球が生じ得るが、このように落下してくるファール球の大多数はファール球回収口９１に落入し、ファール球回収樋９０のファール球回収通路９２、溢れ球通路２３、及び下球皿連絡ダクト２８などを経て下球皿６ｂに排出される。
【００５６】
その一方で、図１３に示すように、ファール球ＢＦの落下ルートが右方にずれて発射レール８２に戻ってくることもある。このとき、発射レール８２の球通路８６は開閉弁部材１２０の弁体１２２によって塞がれているため、発射レール８２に戻ってきたファール球ＢＦは弁体１２２に接触して球通路８６内での落下が制止される。そして、ガイドホルダ８１に留置された後続の遊技球Ｂがハンマー７２の揺動作動によって発射されたときに、このハンマー７２に連結されたアーム部材１１０を介して開閉弁部材１２０が正面視において反時計回り方向に揺動し、この開閉弁部材１２０の弁体１２２によってファール球ＢＦが左側通路壁８４の連絡口８７から遊技球回収樋１３０へ弾き出され、遊技球回収通路１３２、溢れ球通路２３、及び下球皿連絡バケット２８を経て下球皿６ｂに排出される。また、ハンマー７２によって打ち出された後続の遊技球Ｂは、弁体１２２に妨げられることなく（更にはファール球ＢＦに衝突することもなく）発射レール８２の球通路８６を通過し、飛送レール１２ａに沿って遊技領域ＰＡへ向かう。そのため、発射レール８２を落下して戻ってくるファール球ＢＦがあった場合でも、この発射レール８２における球通路８６内での遊技球同士の衝突を防止することができる。
【００５７】
なお、開閉弁部材１２０が閉止位置にある状態では、この開閉弁部材１２０のロッド１２４がアーム部材１１０のロッド支持部１１３に当接して、時計回り方向への揺動が規制されているものの、時計回り方向（すなわち発射レール８２の球通路８６を開放する方向）へは自由に揺動可能な状態であるため、ハンマー７２によって遊技球が打ち出されたときに、万が一、開閉弁部材１２０の動作不良などによって球通路８６が弁体１２２によって閉鎖された状態になっていたとしても、発射された遊技球の球圧によって弁体１２２は上方に開放され、発射レール８２での遊技球の飛翔を妨げるおそれがない。
【００５８】
また、ハンマー７２が発射待機位置に保持された状態では、発射レール８２の球通路８６は開閉弁部材１２０の弁体１２２によって閉鎖されているため、遊技盤１０の盤面や発射通路１２から落下するゴミ等の異物（遊技球に付着していた異物）はこの弁体１２２によって阻止され、開閉弁部材１２０の揺動運動に伴って遊技球回収樋１３０に排出されるようになっている。そのため、発射レール８２の下方に位置する発射機構７０に異物が多量に滞留するおそれもなく、発射機構７０の機構部品が異物を噛み込んでその作動不良により遊技球の発射不良を誘発するのを防止できるとともに、異物を除去等するための清掃・点検時間が大幅に低減されてメンテナンス性を向上させることが可能になる。
【００５９】
続いて、糸付球ＢＩ（糸状体Ｉ付きの遊技球）が発射機構７０によって発射されたときの作用について主に図１４を参照して説明する。既述したように不正行為者によって上球皿６ａ内に投入された糸付球ＢＩは、球送りカセット２６によってガイドホルダ８１における打撃位置に供給される。このようにガイドホルダ８１の打撃位置に糸付球ＢＩが留置された状態では、糸付球ＢＩから延びる糸状体Ｉは、この糸付球ＢＩの通過経路（上球皿６ａ〜球送りカセット２６〜ガイドホルダ８１）に沿ってパチンコ機ＰＭ内部に引き回された状態となっており、その一方の端部（糸付球ＢＩの接着部とは反対の端部）は不正行為者の手元まで延びている。
【００６０】
この状態において発射ハンドル６０が回動操作されると、ガイドホルダ８１に留置された糸付球ＢＩは発射ハンドル６０の回動操作量に応じた発射強度で打ち出される。このときハンマー７２が発射待機位置から発射完了位置に揺動作動した際に、これに連結されるアーム部材１１０もハンマー７２と一体となって上方に揺動し、アーム部材１１０に押動されて開閉弁部材１２０が正面視において反時計回り方向（発射レール８２の球通路８６を開放する方向）に揺動されて、弁体１２２が発射レール８２の球通路８６を開放した開放位置に達する。これによりハンマー７２によって打ち出された糸付球ＢＩは弁体１２２に妨げられずに発射レール８２の球通路８６を通過することになるが、この糸付球ＢＩに繋がる糸状体Ｉも発射レール８２に沿って球通路８６内に進入していく。
【００６１】
このように糸付球ＢＩが発射され、払出制御装置４４からの指令によってロータリソレノイド７３が非励磁となると、ハンマー７２が自重により下方に揺動して発射待機位置に復帰し、これにより開閉弁部材１２０が自重により生じるモーメントによって正面視において時計回り方向に揺動して球通路８６の閉止位置に達する。こうして開閉弁部材１２０が揺動したときに、糸付球ＢＩから発射レール８２の球通路８６内に沿って延びる糸状体Ｉが開閉弁部材１２０の弁体１２２によって引掛けられ、開閉弁部材１２０が閉止位置に達したときに弁体１２２と突起８８との間に挟み込まれて繋留された状態となる。これにより糸付球ＢＩの飛翔が制止されてその運動エネルギーが減殺され、糸付球ＢＩは遊技領域ＰＡに到達することができずに発射レール８２へ落下して戻ってくることになる。このようにして発射レール８２に戻ってきた糸付球ＢＩは、前述したファール球ＢＦの回収と同様にして、後続の遊技球Ｂがハンマー７２によって発射されるときに、このハンマー７２に連結されるアーム部材１１０を介して開閉弁部材１２０が反時計回り方向に揺動されることで、開閉弁部材１２０の弁体１２２によって連絡口８７側へ押し出され、この連絡口８７を介して発射レール８２の球通路８６から遊技球回収樋１３０へ速やかに排出される。
【００６２】
従って、このように糸付球の遊技領域ＰＡへの飛翔を開閉弁部材によって妨げることで、糸付球がターゲットである入賞球検出器まで到達できなくなるため、糸付球ＢＩを操作して入賞球検出器に入賞を繰り返し検出させる不正入賞行為を抑止することが可能である。
【００６３】
一方、これに対して発射レール８２の球通路８６内で糸状体Ｉが弁体１２２と突起８８との間で挟み込まれ繋留された状態において、これに繋がる糸付球ＢＩが糸状体Ｉの機械的強度（あるいは糸付球ＢＩと糸状体Ｉとの接着強度）を超える運動エネルギー（発射強度）で飛翔していたときには、この糸付球ＢＩから糸状体Ｉが分断されるため、たとえこの分断された糸付球ＢＩ（糸状体Ｉから分離した遊技球の部分）が遊技領域ＰＡに到達したとしても、糸状体Ｉを用いて不正な操作を行うことはもはやできない。よって、このように糸付球ＢＩの操作が不能になるため、この場合にも入賞球検出器に入賞を繰り返し検出させる不正入賞行為を抑止することが可能である。なお、ここで糸付球ＢＩから糸状体Ｉをより確実に分断するために、例えば弁体１２２の先端部に切断部（カッタ刃など）を備えて、糸状体Ｉを弁体１２２の切断部に引掛けたときや、弁体１２２の切断部と突起８８とによって糸状体Ｉを挟み込んだときに、この糸状体Ｉをこの切断部に喰い込ませて切断する構成としてもよい。
【００６４】
以上、本実施形態に係るパチンコ機ＰＭでは、開閉弁部材１２０が発射機構７０の作動に連動して遊技球の通過を許容する開放位置と遊技球の通過を阻止する閉止位置との間で揺動変位して発射レール８２の球通路８６を開閉することで、球通路８６を閉止したときに当該球通路８６内での遊技球の通過と共に異物の通過をも阻止し、発射機構７０により発射された遊技球のうちで遊技領域ＰＡに到達せずに発射レール８２を戻ってきた遊技球を、発射機構７０の作動に連動して閉止位置から開放位置に揺動するときに発射レール８２の途中で連絡口８７を介して遊技球回収樋１３０に導くように構成されている。そのため、釣糸等の糸状体Ｉが取り付けられた糸付球ＢＩが発射機構７０によって打ち出された場合、開閉弁部材１２０が発射機構７０に連動して発射レール８２の球通路８６を閉止したときに発射レール８２内を球通路８６に沿って進入する糸状体Ｉ（異物）を引掛けて若しくは球通路８６の内壁との間に挟み込んで当該遊技球の飛翔を制止できるため、当該遊技球を遊技領域ＰＡまで到達できないようにしている。従って、糸状体Ｉの付いた遊技球を不正に操作して入賞球検出器に連続的な入賞を検出させる不正入賞行為を効果的に抑止して損害の発生を未然に防止することが可能である。
【００６５】
また、発射機構７０により打ち出された遊技球のうちで遊技領域ＰＡ内に到達せずに発射レール８２を戻ってくるファール球が生じた場合、開閉弁部材１２０が発射レール８２の球通路８６を閉止したときにファール球が発射機構７０側に戻るのが防止されるとともに、開閉弁部材１２０が発射レール８２の球通路８６を開放するときにファール球が発射レール８２の途中で開閉弁部材１２０の揺動によって連絡口８７を通って遊技球回収樋１３０に速やかに導かれる。そのため、発射レール８２の球通路８６上でファール球と後続の遊技球とが衝突するのを防止できるとともに、発射レール８２の球通路８６の下端までファール球が戻ってくることが極めて少ないため、いわゆる垂直発射と称されるような発射機構を用いて、遊技球を発射通路内に直接発射する構成を問題なく採用することが可能である。
【００６６】
さらに、発射レール８２の途中で開閉弁部材１２０によって球通路８６が閉鎖されることで、遊技盤１０の盤面や発射通路１２から落下するゴミ等の異物はこの開閉弁部材１２０によって当該球通路８６内での通過が阻止されて、開閉弁部材１２０の揺動運動に伴って遊技球回収樋１３０に排出されるようになっている。そのため、発射レール８２の下方に位置する発射機構７０に異物が多量に滞留するおそれもなく、発射機構７０の機構部品が異物を噛み込んでその作動不良により遊技球の発射不良が発生するのを防止できるとともに、異物を除去等するための清掃・点検時間が大幅に低減されてメンテナンス性を向上させることが可能になる。
【００６７】
従って、本実施形態のパチンコ機ＰＭによれば、釣糸等の糸状体を付けた遊技球を不正に操作して遊技球の入賞を検出させる不正入賞行為を効果的に抑止することができるとともに、遊技盤に到達できずに戻ってくるファール球を速やかに且つ確実に発射レールの球通路から退避させることができ、更には発射レールの下方に位置する発射機構７０に盤面などからのゴミが落下するのを低減させることが可能である。
【００６８】
また、上述の実施形態において、開閉弁部材１２０が閉止位置に揺動変位して発射レール８２の球通路８６を閉止したときに、開閉弁部材１２０と球通路８６の内方へ向かって突出する突起８８とが近接するように構成されることで、釣糸等の糸状体の取り付けられた遊技球が発射機構７０によって打ち出された場合、発射レール８２内で球通路８６に沿って進入する糸状体を開閉弁部材１２０と突起８８との間で挟み込んで当該遊技球の飛翔を確実に制止することができるため、不正入賞行為をより厳重に防止することが可能である。
【００６９】
さらに、ハンマー７２がロータリソレノイド７３によって発射待機位置と発射完了位置（打撃位置）との間で揺動変位するときに、開閉弁部材１２０がアーム部材１１０を介してハンマー７２に連動して閉止位置と開放位置との間で揺動変位する構成とすることで、ロータリ−ソレノイド７３以外の他の駆動源を用いずに開閉弁部材１２０をハンマー７２に連動させて閉止位置と開放位置との間で揺動変位させることができるため、機構構成を簡明化するとともに小型化及び低廉化することが可能である。さらに、互いに連動作動するハンマー７２の発射待機位置及び発射完了位置（打撃位置）と開閉弁部材１２０の閉止位置及び開放位置とを対応付けることで、ハンマー７２によって打撃位置で発射された遊技球を開閉弁部材１２０によって開放された発射レール８２の球通路８６を確実に通過させることができるとともに、当該発射後にハンマー７２が発射待機位置に復帰した際に発射レール８２を戻ってくる遊技球（例えばファール球）があった場合でも閉止位置にある開閉弁部材１２０によって球通路８６を閉鎖して、この遊技球が発射レール８２下端の発射機構７０まで到達して後続の遊技球に衝突するのを防止できる。
【００７０】
また、開閉弁部材１２０の弁体１２２が発射レール８２の球通路８６内において閉止位置に位置したときに、弁体１２２が遊技球回収機構１３０側（左側）に向かって下方に傾斜する姿勢で保持されるため（図７等を参照）、遊技領域ＰＡに到達できずに発射レール８２に戻ってきた遊技球は弁体１２２の傾斜に沿って連絡口８７へ誘導され易くなるため、当該遊技球を発射レール８２の球通路８６から確実に遊技球回収樋１３０に排出することができる。
【００７１】
ところで、上述の実施形態においては、糸付球を用いた不正入賞行為を防止するとともに、ファール球を速やかに回収できるという効果を達成しているが、このような効果をより確実にするため、上述の構成に加えて、例えば図１５に示すように、遊技盤１０上における発射通路１２の途中（出口開口１２ｃの手前）に、発射通路１２に滑らかに繋がるループ状通路２００を設けて構成してもよい。このループ状通路２００は、発射通路１２側に開いた略円弧状に延びるレール面を有しており、その中心には前後方向に延びる円筒状の軸部材２０１が化粧板１１の前面側に植設され、この軸部材２０１の下方（ループ状通路２００の最も低いところ）には遊技球が通過可能な大きさのファール球回収孔２０２が化粧板１１を表裏貫通して穿設されている。
【００７２】
このような構成において、発射機構７０によって打ち出された遊技球は、発射レール８２及び発射通路１２等を通って、この発射通路１２の途中に介装されたループ状通路２００を、遠心力の作用によりレール面に沿って時計回りに円を描くように通過した後、再び発射通路１２に戻って出口開口１２ｃから遊技領域ＰＡに放出されることになる。これに対して発射強度の弱い遊技球（ファール球となるべく遊技球）は、ループ状通路２００を通過しきれずループ状通路２００内で減衰し、このループ状通路２００内に設けられたファール球回収孔２０２に落入することになる。そして、このファール球回収孔２０２と溢れ球通路２３とを遊技盤１０の背面側で連通させておけば、このファール球を下球皿連絡ダクト２８を介して下球皿６ｂに導くことができる。一方、糸付球が発射機構７０によって打ち出された場合、この糸付球がループ状通路２００に沿って弧状のレール面を通過する際に、この糸付球に繋がる糸状体がループ状通路２００中心の軸部材２０１に巻き付けられるため、これにより糸付球の移動が制止されて糸付球の操作が不能になる。従って、遊技盤１０の遊技領域ＰＡを狭めることなく、糸付球を用いた不正入賞行為及びファール球の回収をより確実に行うことが可能になる。なお、軸部材２０１の形態としてはロッド状に限定されず、コイルバネ状に形成して糸状体を巻き付き易くさせてもよい。
【００７３】
これまで本発明の好ましい実施形態について説明してきたが、本発明の範囲はこれに限定されるものではない。例えば、上述の実施形態において、発射機構７０のハンマー７２と遊技球回収機構１００の開閉弁部材１２０とを連繋するアーム部材１１０を両者（ハンマー７２及び開閉弁部材１２０）にリンク結合させる構成でもよく、これによりハンマー７２の揺動作動に対する開閉弁部材の開閉作動の応答性を向上させることができる。
【００７４】
また、上述の実施形態において、発射機構７０におけるハンマー作動手段としてロータリソレノイド７２が適用されているが、これに限定されるものではなく、パルスモータやサーボモータ、ＡＣモータ、ＤＣモータ等の電動アクチュエータを利用するものであってもよい。
【００７５】
また、上述の実施形態において、遊技球回収樋１３０と溢れ球通路２３とを繋いで、開閉弁部材１２０によって球通路８６から連絡口８７を通って遊技球回収樋１３０へ送り出された遊技球を、下球皿連絡ダクト２８を介して下球皿６ｂに排出するように構成しているが、これに限定されるものではなく、遊技球回収樋１３０と賞球連絡通路２２とを繋いで、遊技球回収樋１３０に落入した遊技球を、賞球連絡通路２２及び上球皿連絡ダクト２７を介して上球皿６ａに排出させるように構成してもよい。
【００７６】
なお、以上説明した実施形態では、本発明が適用される弾球遊技機の一例として、パチンコ機を例示して説明したが、これに限定されるものではなく、例えば、アレンジボール、雀球遊技機などについても同様に適用し、同様の効果を得ることができるものである。
【符号の説明】
【００７７】
ＰＭ    パチンコ機（弾球遊技機）
ＰＡ    遊技領域
Ｂ      遊技球
ＢＦ    ファール球
ＢI      糸付球
Ｉ      糸状体
２      前枠（枠部材）
１０    遊技盤
１２    発射通路
１２ａ  飛送レール
１２ｂ  内レール
２０    遊技補助盤
４４    払出制御装置
５０    遊技球発射装置
６０    発射ハンドル
７０    発射機構
７１    ベースプレート（ベース部材）
７２    ハンマー（ハンマー部材）
７３    ロータリソレノイド（ハンマー作動手段）
８０    発射レール部
８１    ガイドホルダ
８２    発射レール
８２ａ  発射口
８６    球通路
８７    連絡口
８８    突起
１００  遊技球回収機構
１１０  アーム部材
１２０  開閉弁部材
１２２  弁体
１３０  遊技球回収樋（遊技球回収部）
【図１】
2012055526.tif 000003
【図２】
2012055526.tif 000004
【図３】
2012055526.tif 000005
【図４】
2012055526.tif 000006
【図５】
2012055526.tif 000007
【図６】
2012055526.tif 000008
【図７】
2012055526.tif 000009
【図８】
2012055526.tif 000010
【図９】
2012055526.tif 000011
【図１０】
2012055526.tif 000012
【図１１】
2012055526.tif 000013
【図１２】
2012055526.tif 000014
【図１３】
2012055526.tif 000015
【図１４】
2012055526.tif 000016
【図１５】
2012055526.tif 000017